(57)【要約】【課題】小物を飾り付けするに際し、見栄えの良い且つバリエーションに飛んだ飾り付けが可能な小物展示台を提供する。【解決手段】小物（ボトルキャップ式模型２で例示）を壁やボード等の立面に飾るために、小物載置板１０と、小物載置板１０の前面１０ｂに配設された固定部材を備えるものとする。固定部材は、小物載置板１０を立面に固定（垂直に固定）する部材であり、例えば、立面に押し刺すための複数のピン１２１，１２２を有し、小物載置板１０における各ピン１２１，１２２の配設部は幅広となっている（幅広部１１１，１１２）。ボトルキャップ式模型２を載置した小物展示台１を、ピン１２１，１２２を立面に差し込むことで、配置する。複数のボトルキャップ式模型２と小物展示台１のセットを配置良く立面に並べる。【選択図】        図１
2004236912.tif 000002
【特許請求の範囲】
【請求項１】
小物を載置する小物載置板と、該小物載置板の前面に配設され、該小物載置板を立面に固定する固定部材とを一体に有することを特徴とする小物展示台。
【請求項２】
前記固定部材は、立面に押し刺すための複数のピンを有することを特徴とする請求項１記載の小物展示台。
【請求項３】
前記小物載置板における各ピンの配設部は、下又は上下方向に幅広であることを特徴とする請求項２記載の小物展示台。
【請求項４】
前記固定部材は、金属製の立面につけるための１又は複数の磁石を有することを特徴とする請求項１記載の小物展示台。
【請求項５】
前記固定部材は、立面に吸着させるための１又は複数の吸盤を有することを特徴とする請求項１記載の小物展示台。
【請求項６】
前記小物はボトルキャップ式模型とすることを特徴とする請求項１乃至５のいずれか１記載の小物展示台。
【請求項７】
前記小物載置板は前記ボトルキャップ式模型を１つ展示する広さを持つことを特徴とする請求項６記載の小物展示台。
【請求項８】
前記小物載置板は、その一面又は両面に小物を保持するための保持機構を有し、該保持機構は、前記ボトルキャップ式模型のキャップ部分の内径に合致する１又は複数の突起物からなることを特徴とする請求項６又は７記載の小物展示台。
【請求項９】
前記小物載置板は、その一面又は両面に小物を保持するための保持機構を有することを特徴とする請求項１乃至７のいずれか１記載の小物展示台。
【発明の詳細な説明】
【０００１】
【発明の属する技術分野】
本発明は、小物展示台に関し、より詳細には、小物を壁やボード等の立面に飾るための小物展示台に関する。
【０００２】
【従来の技術】
従来から、小物を展示するに際しては、本棚やそれ専用の棚や台などを利用して、或いは場合によっては作成して、個人の好みに合わせ見栄えを考えながら展示している。
【０００３】
また、小物としては、近年、キャラクタグッズなどが受け、商品購入の際のプレゼントや商品とのセット販売が盛んに行われている。その中でも、ボトルキャップ式模型等のフィギュアがコレクターズアイテムとして重宝されている。
【０００４】
【発明が解決しようとする課題】
しかしながら、従来の飾り付けの方法では、既製の棚や台の上に飾った場合平面的に並べるしかない。一方、個人で専用の棚や台を作り、その上に飾っても良いが、手間がかかる上に棚や台にも見栄えに限界がある。特にボトルキャップ式模型などのコレクターズアイテム、すなわち様々な同類のキャラクタをセットとして用意されているアイテムなどを飾る際には、棚や台の上に平面的に並べるだけでは、バリエーション不足で単純すぎて飽きもくる上に、全体としての見栄えも良くない。
【０００５】
本発明は、上述のごとき実情に鑑みてなされたものであり、小物を飾り付けするに際し、見栄えの良い且つバリエーションに飛んだ飾り付けが可能な、小物展示台を提供することをその目的とする。
【０００６】
また、本発明は、特に小物としてのボトルキャップ式模型を、立面に、見栄え良く且つバリエーション豊富に飾ることが可能な、小物展示台を提供することを他の目的とする。
【０００７】
【課題を解決するための手段】
本発明においては、小物を飾り付けするに際し、見栄えの良い且つバリエーションに飛んだ飾り付けを可能とするために、小物を壁やボード等の立面に上手く空間を利用して配置することが可能な小物展示台を提供する。
【０００８】
請求項１の発明は、小物を載置する小物載置板と、該小物載置板の前面に配設され、該小物載置板を立面に固定する固定部材とを一体に有することを特徴とする小物展示台である。
【０００９】
請求項２の発明は、請求項１の発明において、前記固定部材は、立面に押し刺すための複数のピンを有することを特徴としたものである。
【００１０】
請求項３の発明は、請求項２の発明において、前記小物載置板における各ピンの配設部は、下又は上下方向に幅広であることを特徴としたものである。
【００１１】
請求項４の発明は、請求項１の発明において、前記固定部材は、金属製の立面につけるための１又は複数の磁石を有することを特徴としたものである。
【００１２】
請求項５の発明は、請求項１の発明において、前記固定部材は、立面に吸着させるための１又は複数の吸盤を有することを特徴としたものである。
【００１３】
請求項６の発明は、請求項１乃至５のいずれか１の発明において、前記小物はボトルキャップ式模型とすることを特徴としたものである。
【００１４】
請求項７の発明は、請求項６の発明において、前記小物載置板は前記ボトルキャップ式模型を１つ展示する広さを持つことを特徴としたものである。
【００１５】
請求項８の発明は、請求項６又は７の発明において、前記小物載置板は、その一面（上面）又は両面に小物を保持するための保持機構を有し、前記保持機構は、前記ボトルキャップ式模型のキャップ部分の内径に合致する１又は複数の突起物からなることを特徴としたものである。
【００１６】
請求項９の発明は、請求項１乃至７のいずれか１の発明において、前記小物載置板は、その一面（上面）又は両面に小物を保持するための保持機構を有することを特徴としたものである。
【００１７】
【発明の実施の形態】
図１は、本発明の一実施形態に係る小物展示台の一例を示す斜視図で、図２は、図１の小物展示台を様々な角度から見た図で、図２（Ａ）は小物展示台の上面図、図２（Ｂ）は小物展示台を図２（Ａ）のＢ方向から見た図、図２（Ｃ）は小物展示台を図２（Ａ）のＣ方向から見た図である。また、図３は、本発明に係る小物展示台を利用した小物の展示方法の一例を示す図である。
【００１８】
本発明は、小物を壁やボード等の立面に飾るための小物展示台１であり、小物載置板１０と、小物載置板１０の前面（立面側の端面）１０ｂに配設された固定部材とを一体に有するものとする。固定部材は、小物載置板１０を立面に固定（垂直に固定）する部材であり、よって小物展示台１は、小物を陳列するための小物陳列台、或いは小物を展示するための小物展示棚とも言える。ここで、立面とは、ドア，壁面，窓，コルクボード，壁掛け用掲示ボード，金属製の白板等のボードなどを指し、固定部材に応じてその対象は異なる。
【００１９】
なお、本実施形態に係る小物展示台１は、２本のピン（針とも言える）１２（２本以上であればよい）の頭に小物載置板１０を備えた小物載置機能付き画鋲とも言える。また、画鋲部分は、ピン１２を覆うジャバラが付いたものや、ピンの針部を伸縮性のある物体で覆うことで、安全に扱えるようにしたものなど、様々な形態を採用してもよい。
【００２０】
図１及び図２で示すように、固定部材の一形態としては、立面に押し刺すための複数のピン１２１，１２２（一般的な説明では１２とする）を有するようにし、小物載置板１０における各ピン１２１，１２２の配設部は、それぞれ下又は上下方向に幅広である（幅広部１１１，１１２（一般的な説明では１１とする）とする）ようにすればよい。勿論、前面１０ｂ全体が幅広であっても良い。幅広部１１１，１１２により、それぞれのピン１２１，１２２による立面への固定が頑強なものとなるが、幅広部１１は設けなくてもよい。ピン１２と幅広部１１とが、てこの原理により、特に立面が柔らかく、ボトルキャップ式模型（ボトルキャップ付きの模型）２等の小物の重たいものである場合にも、ピン１２が抜けて支えきれなくなることは少なくなる。また、ピン１２１，１２２に加えて、例えば補強用のピンを付けてピン同士で３角形を形作るようにしてもよい。
【００２１】
小物としては、陶芸品や人形などの小物の他に、装身具などの装飾品を飾ることも可能である。なお、本明細書中では説明の簡略化のため、展示する小物の好適な例としてボトルキャップ式模型２を例に挙げて説明するが、小物展示台１の大きさ，固定部材の強度などの設計事項により展示する小物は様々なものが対象となり得、ボトルキャップ式模型に限るものではないことは言及するまでもない。
【００２２】
小物載置板１０は、その上面１０ａにボトルキャップ式模型２を載せるための板であり、その前面１０ｂにピン１２等の固定部材が配設されている。なお、その他端１０ｃは、図１及び図２に示すように、見栄え良く径状にカットすることが好ましい。
【００２３】
また、小物載置板１０はボトルキャップ式模型２を１つ展示する広さを持つようにすることで、個々のボトルキャップ式模型２を個々の小物展示台１に飾り、それをコルクボード等の立面に見栄え良く、個人の好みに合わせて配置し易くなる。勿論、２つ以上を載置することを想定して、それに合わせた広さとしても良い。図３では、コルクボード３のコルク部分３０に小物展示台１ａ，１ｂ，・・・のピン１２を刺し込むことで小物展示台を配置し、それぞれの小物展示台にボトルキャップ式模型２ａ，２ｂ，・・・を載置して飾り付けした例を示している。ここでは、コルクボード３を使用して、壁掛け用のコレクションとして飾り付けしている。ボトルキャップ式模型２を載置した小物展示台１を、ピン１２１，１２２を立面に差し込むことで配置し、複数のボトルキャップ式模型２と小物展示台１のセットを配置良く立面に並べ、もって上手く空間を利用していることがわかる。
【００２４】
また、小物の小物載置板１０への載置に関し、小物載置板１０は、その一面（上面）又は両面に小物を保持するための保持機構を有するようにすることが好ましい。この保持機構により、ボトルキャップ式模型２等の小物が少々の振動で落下することもなくなる上に、小物載置板１０の定位置に小物を固定して、さらに見栄え良く飾り付けができる。なお、所定の小物のみに対応した保持機構としても良いし、複数種類の小物に対応可能な保持機構を採用しても良い。
【００２５】
ボトルキャップ式模型２の場合、保持機構としては、ボトルキャップ式模型２のフィギュア部分２２の内径に合致する１又は複数の突起物からなるようにしてもよく、図１及び図２では、フィギュア部分２２の内径に合致した４つの突起物１３１，１３２，１３３，１３４で例示しており、図１の矢視の方向に向かってフィギュア部分２２を突起物１３１，１３２，１３３，１３４に差し込むことで、ボトルキャップ式模型２を小物展示台１に保持することが可能となる。勿論、ボトルキャップ式模型２のキャップ部分２１の正面を、小物載置板１０の他端１０ｃ側に向けることで、フィギュアが正面を向くように飾り付けることが可能となる。
【００２６】
また、小物載置板１０の片面１０ａだけに保持機構を設けた場合にも、裏面は使用可能である。ボトルキャップ式模型２のフィギュア部分２２のごとき台座のないフィギュアなどを飾り付けする場合に、裏面を使用すると良い。小物載置板１０の上面１０ａを下に向けて立面に差し込むと良い。なお、保持機構を設けなかった場合は台座のないフィギュアをどちらの面を上にしても飾り付けできる。但し、上述したように、フィギュアのキャップ等に対応する少なくとも２種類の保持機構（固定具とも言える）を、小物載置板１０の両面に用意しておくことで、より販売利益も上がるものと期待できる。突起物以外の保持機構としては、凹部を設ける、或いはバネバサミ等で挟む、或いは小物載置板１０に垂直に設けたピン（針）等に刺す、など様々な形態が採用可能である。なお、既に市販されているペットボトルフィギュアやその他のフィギュアを台座に載せて飾り付けする場合に限らず、フィギュア等の小物と本発明に係る小物展示台１とをセットとして販売することで、より消費者の興味を惹くことができる。
【００２７】
なお、小物展示台１の本体部分である小物載置板１０及び幅広部１１は、その材質に依るが、例えばインジェクション（射出成形）により成形してもよいし、他の方法で形成してもよい。また、小物展示台１をプラスチックや陶器等で形成しても良いし、さらに透明，半透明に限らず、各色のものを用意して販売することで、より個人の趣味に合った飾り付けが可能となる。
【００２８】
図４は、本発明に係る小物展示台を利用した小物の展示方法の他の例を示す図で、図４（Ａ）はその概観図、図４（Ｂ）は図４（Ａ）の展示方法のうち１つの小物に対する展示方法を示した概観図、図４（Ｃ）は図４（Ｂ）の断面図である。
図４で示す展示方法では、図３と同じく、コルクボード３等の立面に、写真やメモ用紙などの掲示物４ａ，４ｂ（一般的な説明では４とする）と共にボトルキャップ式模型２ａ，２ｂ，・・・を飾り付けている。従来は、メモ用紙や写真などの掲示物４ａ，４ｂを壁に挿すときには、単なる画鋲，押しピンやシール等を使用していたが、本発明を適用することで、これら掲示物も併せてかわいくデコレーションすることも可能となる。
【００２９】
図５は、本発明に係る小物展示台を利用した小物の展示方法の他の例を示す図で、図４（Ｂ）と同様に１つの小物に対する展示方法を示した概観図である。
図５で示す展示方法では、本発明に係る小物展示台１を、図４のごとき写真や絵などを飾る場合だけでなく、それらが入った額縁５を吊るすときに使用している。額縁５の飾り付けは、例えば小物載置板１０の上面に紐５ａをかけることで可能となる。
【００３０】
図６は、本発明の他の実施形態に係る小物展示台を示す上面図で、図６（Ａ）は固定部材として吸盤を用いた場合の、図６（Ｂ）は固定部材として磁石を用いた場合の、小物展示台を示す上面図である。
固定部材としては、図６（Ａ）に示すように、立面に吸着させるための１又は複数の吸盤（図では２個の場合を例示）を有するようにしてもよく、また、図６（Ｂ）に示すように、金属製の立面につけるための１又は複数の磁石（図では２個の場合を例示）を有するようにしてもよい。勿論、立面の材質等により、対応可能な固定部材は異なる。なお、図６（Ａ）中、６１１，６１２はそれぞれ吸盤６２１，６２２を小物展示台６の小物載置板６０に取り付けるための吸盤取付部を示している。また、図６（Ｂ）中、７１１，７１２はそれぞれ磁石７２１，７２２を小物展示台７の小物載置板７０に取り付ける（ここでは埋め込んだ例を示している）ための磁石取付部を示している。なお、図１のごとき幅広部を設けるなど、その他の応用に関しては上述した通りであり、説明を省略する。
【００３１】
なお、ボトルキャップ式模型２の場合の保持機構の例として、図６（Ａ），（Ｂ）では、ボトルキャップ式模型のキャップ部分の内径に合致する複数の突起物の他の例を示しており、図６（Ａ）ではその両端を結んだ長さが内径と同等となる２個の突起物６３１，６３２を小物載置板６０の上面６０ａに設けた例を示し、図６（Ｂ）では内径と同等の１個の突起物７３を小物載置板７０の上面７０ａに設けた例を示している。これらの突起物に対しても、図１の場合と同様に、キャップ部分を突起物に差し込むことで、ボトルキャップ式模型を小物展示台６や小物展示台７に保持することが可能となる。
【００３２】
【発明の効果】
本発明によれば、小物を壁やボード等の立面に上手く空間を利用して配置できるようになるので、小物を飾り付けするに際し、見栄えの良い且つバリエーションに飛んだ飾り付けが可能となる。
【００３３】
また、本発明によれば、特に小物としてのボトルキャップ式模型を、立面に、見栄え良く且つバリエーション豊富に飾ることが可能となる。
【図面の簡単な説明】
【図１】本発明の一実施形態に係る小物展示台の一例を示す斜視図である。
【図２】図１の小物展示台を様々な角度から見た図で、図２（Ａ）は小物展示台の上面図、図２（Ｂ）は小物展示台を図２（Ａ）のＢ方向から見た図、図２（Ｃ）は小物展示台を図２（Ａ）のＣ方向から見た図である。
【図３】本発明に係る小物展示台を利用した小物の展示方法の一例を示す図である。
【図４】本発明に係る小物展示台を利用した小物の展示方法の他の例を示す図で、図４（Ａ）はその概観図、図４（Ｂ）は図４（Ａ）の展示方法のうち１つの小物に対する展示方法を示した概観図、図４（Ｃ）は図４（Ｂ）の断面図である。
【図５】本発明に係る小物展示台を利用した小物の展示方法の他の例を示す図で、図４（Ｂ）と同様に１つの小物に対する展示方法を示した概観図である。
【図６】本発明の他の実施形態に係る小物展示台を示す上面図で、図６（Ａ）は固定部材として吸盤を用いた場合の、図６（Ｂ）は固定部材として磁石を用いた場合の、小物展示台を示す上面図である。
【符号の説明】
１，１ａ，１ｂ，６，７…小物展示台、２，２ａ，２ｂ…ボトルキャップ式模型、３…コルクボード、４，４ａ，４ｂ…写真やメモ用紙などの掲示物、５…額縁、５ａ…額縁の紐、１０，６０，７０…小物載置板、１０ａ，６０ａ，７０ａ…小物載置板の上面、１０ｂ…小物載置板の前面、１０ｃ…小物載置板の他端、１１１，１１２…幅広部、１２１，１２２…ピン、１３１，１３２，１３３，１３４，６３１，６３２，７３…保持機構（突起物）、２１…ボトルキャップ式模型のキャップ部分、２２…ボトルキャップ式模型のフィギュア部分、３０…コルクボードのコルク部分、６１１，６１２…吸盤取付部、６２１，６２２…吸盤、７１１，７１２…磁石取付部、７２１，７２２…磁石。
【図１】
2004236912.tif 000003
【図２】
2004236912.tif 000004
【図３】
2004236912.tif 000005
【図４】
2004236912.tif 000006
【図５】
2004236912.tif 000007
【図６】
2004236912.tif 000008